(57)【要約】【課題】被探傷材の欠陥の深さに関係なくその有無と大きさを正確に把握可能とした【解決手段】表面から異なる深さにそれぞれ所定径のモデル欠陥１１〜１４を形成した、被探傷材と同材質の較正体１を用意し、超音波受発振器２によって少なくともモデル欠陥１１〜１４を形成した範囲の較正体１表面に向けて超音波を発振するとともに超音波の反射波を受振し、受振された反射波中の欠陥信号の強度を較正体１表面からの深さに応じて較正するための第１較正値を得るとともに、較正された欠陥信号強度の二次元的拡がりをさらに較正体表面からの深さに応じて較正するための第２較正値を得る。【選択図】        図２
2017207345.tif 000002
【特許請求の範囲】
【請求項１】
表面から異なる深さにそれぞれ所定径のモデル欠陥を形成した、被探傷材と同材質の較正体を用意し、超音波受発振手段によって少なくとも前記モデル欠陥を形成した範囲の較正体表面に向けて超音波を発振するとともに超音波の反射波を受振し、受振された反射波中の欠陥信号の強度を較正体表面からの深さに応じて較正するための第１較正値を得るとともに、較正された欠陥信号強度の二次元的拡がりをさらに較正体表面からの深さに応じて較正するための第２較正値を得ることを特徴とする超音波探傷の較正方法。
【請求項２】
前記モデル欠陥を円形とし、前記欠陥信号強度の二次元的広がりを、その強度が所定値以上の領域の直径で示した請求項１に記載の超音波探傷の較正方法。
【請求項３】
前記第１較正値および前記第２較正値をそれぞれ、多項式による補間曲線で求める請求項１又は２に記載の超音波探傷の較正方法。
【発明の詳細な説明】
【技術分野】
【０００１】
本発明は超音波探傷の較正方法に関し、特に、欠陥の大きさを当該欠陥の深さに応じて較正できるようにした較正方法に関するものである。
【背景技術】
【０００２】
超音波探傷器で被探傷材内の欠陥の有無を正確に検出するためには、反射波中に含まれる欠陥信号のレベルを、被探傷材内での超音波の減衰を考慮して較正する必要がある。そこで、例えば特許文献１では、欠陥信号に対する受信ゲインを当該欠陥の被探傷材内での深さ（受信時間）に応じて変化させるようにした超音波探傷器が開示されている。
【先行技術文献】
【特許文献】
【０００３】
【特許文献１】実開昭４９−１４８９８８
【発明の概要】
【発明が解決しようとする課題】
【０００４】
ところで、超音波探傷器の超音波受発振器から出力される超音波は実際には三次元的な広がりのある球面波であり、収束波であるか発散波であるかによっても被探傷材内の深さでの超音波強度が変化するとともに、面積的な拡がりのある欠陥の各部からの超音波強度も異なってくることから、欠陥の有無のみならずその大きさ（投影面積）についても較正をしないと欠陥につての正確な情報は入手できない。
【０００５】
そこで、本発明はこのような要請に鑑みたもので、被探傷材の欠陥の深さに関係なくその有無と大きさを正確に把握可能とした超音波探傷の較正方法を提供することを目的とする。
【課題を解決するための手段】
【０００６】
上記目的を達成するために、本第１発明では、表面から異なる深さにそれぞれ所定径のモデル欠陥（１１〜１４）を形成した、被探傷材と同材質の較正体（１）を用意し、超音波受発振手段（２）によって少なくとも前記モデル欠陥（１１〜１４）を形成した範囲の較正体（１）表面に向けて超音波を発振するとともに超音波の反射波を受振し、受振された反射波中の欠陥信号の強度を較正体（１）表面からの深さに応じて較正するための第１較正値を得るとともに、較正された欠陥信号強度の二次元的拡がりをさらに較正体表面からの深さに応じて較正するための第２較正値を得る。
【０００７】
本第１発明によれば、第１較正値によって被探傷材の欠陥の有無をその深さに関係なく確実に知ることができるとともに、第２較正値によって被探傷材の欠陥の大きさをその深さに関係なく正確に知ることができる。
【０００８】
本第２発明では、前記モデル欠陥（１１〜１４）を円形とし、前記欠陥信号強度の二次元的広がりを、その強度が所定値以上の領域の直径で示す。
【０００９】
本第２発明によれば、第１較正値および第２較正値を簡易に得ることができる。
【００１０】
本第３発明では、前記第１較正値および前記第２較正値をそれぞれ、多項式（Ｆ（ｘ）、Ｇ（ｘ））による補間曲線で求める。
【００１１】
本第３発明によれば、第１較正値および第２較正値を正確に求めることができる。
【００１２】
上記カッコ内の符号は、後述する実施形態に記載の具体的手段との対応関係を参考的に示すものである。
【発明の効果】
【００１３】
以上のように、本発明の超音波探傷の較正方法によれば、被探傷材の欠陥の深さに関係なくその有無と大きさを正確に把握することが可能である。
【図面の簡単な説明】
【００１４】
【図１】本発明の一実施形態を示す、較正体の平面図である。
【図２】較正体の垂直断面図である。
【図３】各モデル欠陥から得られる反射波の強度を濃淡分布で示した図である。
【図４】図３の濃淡分布の中心部強度を較正体表面からの深さに応じてプロットしたグラフである。
【図５】図３における各モデル欠陥の濃淡分布を較正した後の濃度分布を示す図である。
【図６】図５の濃度分布を二値化した図である。
【図７】図６の白色領域の直径を較正体表面からの深さに応じてプロットしたグラフである。
【発明を実施するための形態】
【００１５】
なお、以下に説明する実施形態はあくまで一例であり、本発明の要旨を逸脱しない範囲で当業者が行う種々の設計的改良も本発明の範囲に含まれる。
【００１６】
以下、本発明の較正方法について具体的に説明する。図１には本発明方法に使用する較正体１の平面図を示し、図２にはその断面図を示す。較正体１は被探傷材と同一材料で成形された直方体で、裏面は複数段に抉られている。そして、各段面には平面視で長方形の裏面の中央線Ｃに沿って、表面からそれぞれＬ１，Ｌ２，Ｌ３、Ｌ４の距離の面上に、同形の、本実施形態では円形平底穴がモデル欠陥１１，１２，１３，１４として形成されている。なお、距離Ｌ１，Ｌ２，Ｌ３、Ｌ４の一例はそれぞれ１４ｍｍ、２０ｍｍ、２６ｍｍ、３２．５ｍｍであり、平底穴の直径の一例は０．５ｍｍである。
【００１７】
較正体１の表面上方に超音波受発振器２を位置させ、これより較正体１の表面に向けて、当該表面から距離Ｌ２の面に焦点を有する収束型超音波を出力する。そして、超音波受発振器２を、較正体１の表面に対して一定高さを保ちつつ適当なピッチ（例えば０．１ｍｍ）で表面全面に対し往復走査する。
【００１８】
以上の構成で超音波受発振器２から超音波を発振しつつ反射波を受振し、モデル欠陥１１〜１４の各領域から得られる受信信号を、その強度に応じた濃淡の分布で表すと図３に示すようなものとなる。
【００１９】
図４は、横軸に較正体１の表面からの深さをとり、縦軸にモデル欠陥１１〜１４の各領域からの反射波の濃淡分布の中心部の信号強度（ここが最も信号強度が高い）をとったものである。これより、サンプル数をｎ（本実施形態では４）として、（ｎ−１）の次数で各モデル欠陥１１〜１４の中心部信号強度を連ねる多項式の補間曲線Ｆ（ｘ）（図４の破線）を求める。
【００２０】
超音波の焦点である、較正体１の表面からＬ２の距離の面にあるモデル欠陥１２からの反射波の中心部信号強度を１００％として、上記補間曲線Ｆ（ｘ）を使用することによって、較正体１の任意の深さにあるモデル欠陥からの反射波の中心部信号強度を１００％に換算するための較正値（第１較正値）を得ることができる。このような較正値によって、実際の被探傷材中に生じた欠陥からの反射波により得られる受信信号の強度を較正すれば、欠陥の有無の判定を当該欠陥の深さに影響されることなく適正に行うことができる。
【００２１】
本実施形態ではさらに、各モデル欠陥１１〜１４からの受信信号強度を較正して得られた濃淡分布（図５）に対して、その中心部の信号強度に対し強度が例えば−６ｄＢ以内の所定領域を、欠陥の大きさとして二値化によって抽出する。抽出された領域を図６に白色で示す。
【００２２】
図７は、横軸に較正体１の表面からの深さをとり、縦軸に各モデル欠陥１１〜１４の白色領域の直径（二値化直径）をとったものである。そこでこれより、サンプル数をｎ（本実施形態では４）として、（ｎ−１）の次数で各モデル欠陥１１〜１４の直径値を連ねる多項式の補間曲線Ｇ（ｘ）(図７の破線)を求める。
【００２３】
上記補間曲線Ｇ（ｘ）を使用することによって、較正体１の任意の深さにあるモデル欠陥の直径を、実際のモデル欠陥の直径（本実施形態では０．５ｍｍ）に換算する較正値（第２較正値）を得ることができる。そして、このような較正値によって、実際の被探傷材中に生じた欠陥からの反射波に応じた受信信号の、濃淡分布の大きさを較正することによって、欠陥の大きさ（投影面積）を当該欠陥の深さに影響されることなく正確に知ることができる。
【符号の説明】
【００２４】
１…較正体、１１，１２，１３，１４…モデル欠陥、２…超音波受発振器。
【図１】
2017207345.tif 000003
【図２】
2017207345.tif 000004
【図３】
2017207345.tif 000005
【図４】
2017207345.tif 000006
【図５】
2017207345.tif 000007
【図６】
2017207345.tif 000008
【図７】
2017207345.tif 000009